【手続補正書】
【提出日】平成29年5月9日(2017.5.9)
【手続補正１】
【補正対象書類名】明細書
【補正対象項目名】００１７
【補正方法】変更
【補正の内容】
【００１７】
このとき、搬送区間に沿って印刷製品を搬送するための搬送部材の使用のための搬送装置は、複数のフランジ部を介して互いに結合された複数のガイド通路部分で構成されている。これらガイド通路部分は、搬送装置内においてトンネル状に形成されているとともにローラが走行可能な前記搬送部材に対して下側の複数の手段のための貫通した開口部を備えており、直接的及び／又は間接的な搬送装置に沿った印刷製品の搬送を担うものである。ガイド通路部分及びフランジ部の内部空間には複数のガイドレール要素が配置されており、これらガイドレール要素は、搬送部材のための複数のすべり面要素を支持している。これらすべり面要素は、ガイド部分通路及びこれに属する前記フランジ部を介して少なくとも１つの手段を補充されており、及び／又は少なくとも１つの処置手段を備え、手段及び／又は処置手段が、すべり面要素の当接箇所において搬送部材としての役割を果たす転がり表面の連続的で平面状の移行部を保証するものである。
【手続補正２】
【補正対象書類名】明細書
【補正対象項目名】００３９
【補正方法】変更
【補正の内容】
【００３９】
このような搬送装置は好ましくは搬送部材との関連で動作することができ、この搬送部材は、本質的に互いに連結された複数の機能ユニットで構成されている。１つの機能ユニットは搬送区間に沿ってシーケンシャルに配置された少なくとも２つのチェーンリンクで構成されており、これらチェーンリンクは、互いに強固で、及び／又はリンク式の結合を形成するものである。機能ユニット自体は第１のチェーンリンク及び第２のチェーンリンクで構成されており、これらチェーンリンクは、機能的に互いに異なるとともに、互いに作用連結されている。搬送部材の形成のためのそのシーケンスにおける機能ユニットは、一致若しくはほぼ一致するか、又はその機能性に基づいて異なるように構成されている。このとき、機能ユニットは、互いに対して複数の手段、又は取外し可能若しくは嵌合によって制限された取外し可能な、及び／若しくは取外し不能な結合部のための結合要素を備えている。このような搬送装置の動作に関しても、すでに上述した特許文献２が参照される。
【手続補正３】
【補正対象書類名】特許請求の範囲
【補正対象項目名】全文
【補正方法】変更
【補正の内容】
【特許請求の範囲】
【請求項１】
搬送区間に沿って印刷製品を搬送するための搬送部材の使用のための搬送装置であって、当該搬送装置が、複数のフランジ部（３１０，３２０）を介して互いに結合された複数のガイド通路部分（２００）で構成されており、該ガイド通路部分が、搬送方向にトンネル状に形成されているとともにローラ上で走行可能な前記搬送部材に対して複数の手段のための貫通した下側の開口部を備えており、直接的及び／又は間接的な当該搬送装置に沿った印刷製品の搬送を担うものであり、前記ガイド通路部分及び前記フランジ部の内部空間には複数のガイドレール要素（４０２〜４０９；４０２’〜４０９’）が配置されており、これらガイドレール要素が前記搬送部材のための複数のすべり面要素（５１０，５２０）を支持し、該すべり面要素が、ガイド部分通路及びこれに属する前記フランジ部に沿って少なくとも１つの手段を補充されており、及び／又は少なくとも１つの処置手段を備え、前記手段及び／又は前記処置手段が前記搬送部材としての役割を果たす前記すべり面要素の転がり表面の連続的で平面状の移行部を形成し、前記処置手段は、少なくとも１つのすべり面要素に該当する前記ガイド通路部分の長さに対して過剰長さを設けることであり、移行部材としての少なくとも１つのアダプタ要素（６１０，６２０）が、前記手段として、少なくとも隣接した前記フランジ部の間の分離面の範囲において設けられている、前記搬送装置。
【請求項２】
前記ガイド通路部分の少なくとも壁側に前記ガイドレール要素が配置されていることを特徴とする請求項１記載の搬送装置。
【請求項３】
前記すべり面要素が、少なくとも嵌合式に前記ガイドレール要素に連結されていることを特徴とする請求項２記載の搬送装置。
【請求項４】
１つのガイド通路部分に属する前記すべり面要素の過剰長さが、前記ガイド通路部分を越えて突出した前記すべり面要素の部分が少なくとも部分的に連続した途切れのない延長部を連結された前記フランジ部の内部におけるその転がり表面に形成するよう、前記ガイド通路部分の少なくとも１つの端部を越えて延在していることを特徴とする請求項１記載の搬送装置。
【請求項５】
１つのガイド通路部分に属する前記すべり面要素の過剰長さが、前記ガイド通路部分の両端部を越えて延在しているとともに、前記ガイド通路部分の両側における過剰長さが少なくとも部分的に連結された前記フランジ部の内部における前記すべり面要素の前記転がり表面の連続した途切れのない延長部が形成されることを表していることを特徴とする請求項１記載の搬送装置。
【請求項６】
１つのガイド通路部分に属する前記すべり面要素の過剰長さが、少なくとも、前記ガイド通路部分に連結された前記フランジ部の内部における当接箇所まで延在していること、及び前記当接箇所から前記フランジ部の端部まで移行区間が形成されていることを特徴とする請求項１〜５のいずれか１項又は複数に記載の搬送装置。
【請求項７】
過剰長さが、連結された前記フランジ部における当接箇所までの区間部分に対する追加的な過剰部を備えていることを特徴とする請求項１〜６のいずれか１項に記載の搬送装置。
【請求項８】
前記移行区間がアダプタ要素に備え付けられて、このアダプタ要素が前記当接箇所から、前記すべり面要素によって形成された転がり表面の他の連続した平面状の延長部を形成することを特徴とする請求項１〜７のいずれか１項又は複数に記載の搬送装置。
【請求項９】
前記アダプタ要素が隣接した２つのフランジ部を包含していること、及び前記アダプタ要素が、すべり面要素によって形成された、前記フランジ部における一方から他方への当接箇所への転がり表面の平面状で連続した延長部を形成していることを特徴とする請求項１〜８のいずれか１項又は複数に記載の搬送装置。
【請求項１０】
前記各フランジ部に対して１つのアダプタ要素が設けられていること、及び隣接する複数のアダプタ要素が、隣接する前記フランジ部の分離面において互いに当接するか、又は互いの中へ交互に移行することを特徴とする請求項９記載の搬送装置。
【請求項１１】
前記アダプタ要素がその当接箇所において鏡像的に互いに設けられた面取り部によって形成されており、この面取り部が、前記分離面に対して直線的又は斜めに形成されていることを特徴とする請求項１〜１０のいずれか１項に記載の搬送装置。
【請求項１２】
前記アダプタ要素が、前記搬送部材のすべり方向へ並列された少なくとも２つの移行部材（６１１，６２１）で構成されており、該移行部材が、作用連結において互いへ統合して前記両フランジ部の前記移行区間を前記フランジ部においてガイドされるすべり面要素の前記各当接箇所まで包含することを特徴とする請求項１〜１１のいずれか１項に記載の搬送装置。
【請求項１３】
前記各移行部材が前記フランジ部に作用連結していることを特徴とする請求項１２記載の搬送装置。
【請求項１４】
前記各移行部材が連結された前記フランジの前記分離面を越えて延在していることを特徴とする請求項１２及び／又は１３記載の搬送装置。
【請求項１５】
並列した２つの前記移行部材が、前記すべり面要素のすべり面の幅にほぼ相当するすべり面の幅を有していることを特徴とする請求項１２〜１４のいずれか１項に記載の搬送装置。
【請求項１６】
並列された前記移行部材がそれぞれ１つの端部側の面取り部（６１３）を備えており、該面取り部が、前記搬送部材のすべり方向において左右逆かつ逆向きに配置されていることを特徴とする請求項１２〜１５のいずれか１項に記載の搬送装置。
【請求項１７】
前記面取り部が、前記移行部材の長さの少なくとも一部分を包含していることを特徴とする請求項１２〜１６のいずれか１項に記載の搬送装置。
【請求項１８】
前記アダプタ要素又は少なくとも１つの移行部材が、本質的にＴ字状の端面形状（６１４）を備えていること、及び該Ｔ字状の断面形状の上側のプレートに対して本質的に直角に延在する少なくとも１つのウェブ（６１５）が内側へ向いた少なくとも１つの段部（６１６）を備えていることを特徴とする請求項１〜１７のいずれか１項に記載の搬送装置。
【請求項１９】
搬送方向に沿って印刷製品を搬送するための搬送部材の使用のための搬送装置であって、当該搬送装置が、複数のフランジ部を介して互いに結合された複数のガイド通路部分で構成されており、該ガイド通路部分が、トンネル状に形成されているとともにローラ上で走行可能な前記搬送部材に対して複数の手段のための貫通した下側の開口部を備えており、前記手段が直接的及び／又は間接的な当該搬送装置に沿った印刷製品の搬送を担うものであり、前記ガイド通路部分及び前記フランジ部の内部空間には複数のガイドレール要素が配置されており、これらガイドレール要素が前記搬送部材のための複数のすべり面要素を支持し、該すべり面要素が、ガイド部分通路及びこれに属する前記フランジ部に沿って少なくとも１つの手段を補充されており、及び／又は少なくとも１つの措置手段を備え、前記手段及び／又は前記措置手段が前記搬送部材としての役割を果たす前記すべり面要素の転がり表面の連続的で平面状の移行部を形成し、前記処置手段は、前記ガイド通路部分に対する前記すべり面要素の過剰長さを該過剰長さが連結された少なくとも１つのフランジ部の幅に相当するか又はほぼ相当し、前記すべり面要素の端面側が前記フランジ部の分離面の範囲において少なくとも１つの面取り部を有するよう規定されていることである、前記搬送装置。
【請求項２０】
前記すべり面要素の全体過剰長さが追加的な過剰部を備えていることを特徴とする請求項１９記載の搬送装置。
【請求項２１】
搬送方向に沿って印刷製品を搬送するための搬送部材の使用のための搬送装置であって、当該搬送装置が、複数のフランジ部を介して互いに結合された複数のガイド通路部分で構成されており、該ガイド通路部分が、トンネル状に形成されているとともにローラ上で走行可能な前記搬送部材に対して複数の手段のための貫通した下側の開口部を備えており、前記手段が直接的及び／又は間接的な当該搬送装置に沿った印刷製品の搬送を担うものであり、前記ガイド通路部分及び前記フランジ部の内部空間には複数のガイドレール要素が配置されており、これらガイドレール要素が前記搬送部材のための複数のすべり面要素を支持し、該すべり面要素が、ガイド部分通路及びこれに属する前記フランジ部に沿って少なくとも１つの手段を補充されており、及び／又は少なくとも１つの措置手段を備え、前記手段及び／又は前記措置手段が前記搬送部材としての役割を果たす前記すべり面要素の転がり表面の連続的で平面状の移行部を形成し、前記処置手段は、前記すべり面要素の長さが前記ガイド通路部分及び前記フランジ部の各長さに個々に設定されていることであり、個々に連結された前記ガイド通路部分及び前記フランジ部の分離面の範囲における前記すべり面要素の端面側が少なくとも１つの面取り部を備えている、前記搬送装置。
【請求項２２】
個々の前記すべり面要素の長さが過剰部を備えていることを特徴とする請求項２１記載の搬送装置。
【請求項２３】
当接する前記フランジ部が、前記すべり面要素若しくは前記アダプタ要素の互いの当接箇所において、又は連結された前記すべり面要素に対する前記アダプタ要素の前記当接箇所において、連続的で平面状の転がり表面の移行部が確保されるように、前記分離面において互いに対して心合わせされていることを特徴とする請求項１〜２２のいずれか１項に記載の搬送装置。
【請求項２４】
互いに対向して離間された、第１のすべり面要素及び第２のすべり面要素のための２つの支持範囲が前記ガイド通路部分の壁側に配置されていること、同様に対向して配置されつつ離間した第３のすべり面要素及び第４のすべり面要素のための２つの支持範囲が対向する壁部に存在すること、それぞれ壁側の各支持範囲に隣接して、第５及びこれに対向する第６並びに第７及び第８のすべり面要素のための他の支持範囲が配置されており、これらのすべり面がそれぞれ隣接したすべり面要素に対して直角に配置されていること、及び第２のすべり面要素と第１のすべり面要素、第４のすべり面要素と第３のすべり面要素、第６のすべり面要素と第５のすべり面要素及び第８のすべり面要素と第７のすべり面要素が対で互いに対向し、かつ、離間して配置されていることを特徴とする請求項１〜２３のいずれか１項又は複数に記載の搬送装置。
【請求項２５】
前記搬送部材が本質的に互いに連結された複数の機能ユニットから成ること、１つの機能ユニットが、搬送区間に沿って本質的にシーケンシャルに配置された少なくとも２つのチェーンリンクから成ること、該チェーンリンクが互いに対して強固な及び／又はリンク式の結合を形成していること、前記機能ユニットが、機能的に異なり、かつ、互いに作用連結している第１のチェーンリンク及び第２のチェーンリンクから成ること、搬送部材の形成のためのシーケンスにおける前記機能ユニットが一致若しくはほぼ一致するか、又はその機能性に基づいて異なるように構成されていること、及び前記機能ユニットが、互いに対して、複数の手段、又は取外し可能若しくは嵌合によって制限された取外し可能な、及び／若しくは取外し不能な結合部のための結合要素を備えていることを特徴とする請求項１〜２４のいずれか１項又は複数に記載の搬送装置の動作のための搬送部材。